(57)【特許請求の範囲】
【請求項１】
成形品を固定型および可動型によって成形する成形用金型装置において、成形品の型抜き時に該成形品の内側で円周方向に形成されるアンダーカット部を取外し可能な状態とするアンダーカット処理機構において、
前記アンダーカット部の内周面に対応して、互いに全周方向に並ぶ複数の分割コアから成り、各分割コアが前記アンダーカット部の軸心に向かって縮径した際、互いに当接して内側に位置する内分割コアと、該内分割コアの外側に沿って互いに近接する外分割コアとが、交互に並んで形成されるアンダーカット成形コアと、
前記アンダーカット成形コアの分割コアを、それぞれ１つずつ先端部に支持した状態で、互いに前記アンダーカット部の軸心に対向する放射状に配されるスライド部材と、
前記固定型または前記可動型に対して一体に設けられ、前記各スライド部材を、それぞれの先端部にある前記分割コア同士が互いに全周方向に並ぶ成形位置と、前記分割コア同士が互いに前記アンダーカット部の軸心に向かって縮径する離型位置とに摺動可能に収納するホルダーとを有し、
前記ホルダーに、前記成形品の型抜き時に前記各スライド部材を前記成形位置から前記離型位置に向けて、前記アンダーカット部の軸心と並行な型抜き方向、および前記アンダーカット部の軸心に向かうアンダーカット部からの逃げ方向に、それぞれ同時に移動する傾斜方向に沿って案内するガイド手段を設けたことを特徴とするアンダーカット処理機構。
【請求項２】
前記各分割コアの外側に、それぞれ前記成形位置にある時に全周方向に連続する成形面を設け、
前記各分割コアのうち内分割コアに、前記成形面の両端より前記アンダーカット部の軸心に向かって末広がりに傾斜する被摺接面を設ける一方、
前記各分割コアのうち外分割コアに、前記成形面の両端より前記アンダーカット部の軸心に向かって末窄まりに傾斜し、前記被摺接面に摺接する摺接面を設け、
前記各分割コアが、それぞれ前記成形位置から前記離型位置に移動した際、前記外分割コアの摺接面が前記内分割コアの被摺接面に摺接し、前記外分割コアが前記内分割コアの外側上方に位置するように設定したことを特徴とする請求項１に記載のアンダーカット処理機構。
【請求項３】
型抜き方向に駆動されて突き出し動作するエジェクタピンを有し、
前記ホルダーは、前記エジェクタピンの先端部が移動可能に案内される状態で前記可動型に一体に設けられ、
前記各スライド部材は、それぞれの基端部が前記エジェクタピンの先端部に対して前記逃げ方向に摺動可能に連結され、
前記ホルダーに前記ガイド手段として、前記スライド部材の途中が貫通して前記傾斜方向に移動可能に案内されるガイド孔が形成されたことを特徴とする請求項１または２に記載のアンダーカット処理機構。
【請求項４】
前記アンダーカット成形コアの分割コアは、それぞれ対応する前記スライド部材の先端部に一体的に設けられたことを特徴とする請求項１，２または３に記載のアンダーカット処理機構。
【請求項５】
前記アンダーカット成形コアの分割コアは、それぞれ対応する前記スライド部材の先端部に別体として着脱可能に組み付けられることを特徴とする請求項１，２または３に記載のアンダーカット処理機構。
【請求項６】
前記スライド部材を前記成形品の型抜きのストロークに応じた長さに設定することを特徴とする請求項１，２，３，４または５に記載のアンダーカット処理機構。
【請求項７】
前記ホルダー自体を、該ホルダーを設ける前記可動型または前記固定型として構成したことを特徴とする請求項１，２，３，４，５または６に記載のアンダーカット処理機構。
【発明の詳細な説明】
【技術分野】
【０００１】
本発明は、成形品を固定型および可動型によって成形する成形用金型装置において、成形品の型抜き時に該成形品の内側で円周方向に形成されるアンダーカット部を取外し可能な状態とするアンダーカット処理機構に関する。
【背景技術】
【０００２】
従来、成形品の内側に円周方向に拡がるアンダーカット部がある場合、金型成形においては、成形品材質の弾性変形を利用して、成形品のアンダーカット部を型抜きできる程度まで押し拡げるような無理抜きが行われていた。ところが、無理抜きを行う場合には、成形品の材質が容易に弾性変形し得るものに限られ、また、離型不良や成形品にクラックが生じる等の問題があった。
【０００３】
無理抜きの問題点を解決すべく、いわゆるコラプシブルコアとして、放射方向に並ぶ複数のコアと、その中心に移動可能に配されるセンターピンとで構成され、各コアの内側にセンターピンを押し込んで、各コア外周のセグメント部分をアンダーカット部に対応した形状ないし寸法に拡径する一方、金型の開閉動作を利用してセンターピンを引き抜くと、各コアが内側にセンターピンの半径方向に移動して縮径する機構も知られている。
【０００４】
また、コラプシブルコアとは別のアンダーカット処理機構として、上方にアンダーカット成形コア部が設けられ、２つ割で金型開閉方向に対して垂直方向に開閉作動する第１サイドプレートと、同じく上方にアンダーカット成形コア部が設けられ、２つ割で前記第１サイドプレートの開閉方向に対して直角方向に開閉作動する第２サイドプレート等から構成され、前記コラプシブルコアの欠点であった大型化や耐久性に乏しいという欠点を解決したものも知られている（例えば、特許文献１参照）。
【０００５】
【特許文献１】特開平１０−０００６６０号公報
【発明の開示】
【発明が解決しようとする課題】
【０００６】
しかしながら、前述したように無理抜きを行わずに済む従来の技術では、何れも金型開閉方向に対して直角に交わる方向に抜ける形状のアンダーカット部だけにしか対応することができなかった。そのため、成形可能な成形品におけるアンダーカット部の形状ないし位置が非常に狭い範囲に限定されるという問題点があった。
【０００７】
また、成形品のアンダーカット部を抜くために必要なコラプシブルコアやアンダーカット成形部の移動量に比べて、これらを駆動するための機構に大きな設置スペースを要し、全体的に構造も複雑となり組み立てに手間と時間がかかり、コストダウンが難しいという問題点もあった。
【０００８】
本発明は、前述したような従来の技術が有する問題点に着目してなされたもので、成形品の内側に円周方向に拡がる様々な形状のアンダーカット部を容易に型抜きすることが可能となり、しかも、コンパクトに構成することが可能となり省スペース化の要請に応じることができ、金型への加工および組み込みが容易で、構成も簡単であり組み立てに手間と時間がかからないアンダーカット処理機構を提供することを目的としている。
【課題を解決するための手段】
【０００９】
前述した目的を達成するための本発明の要旨とするところは、以下の各項の発明に存する。  
［１］成形品（Ｐ）を固定型（１１）および可動型（１４）によって成形する成形用金型装置（１）において、成形品（Ｐ）の型抜き時に該成形品（Ｐ）の内側で円周方向に形成されるアンダーカット部（Ｐ３）を取外し可能な状態とするアンダーカット処理機構（３０）において、
前記アンダーカット部（Ｐ３）の内周面に対応して、互いに全周方向に並ぶ複数の分割コア（６１）から成り、各分割コア（６１）が前記アンダーカット部（Ｐ３）の軸心に向かって縮径した際、互いに当接して内側に位置する内分割コア（６１ａ）と、該内分割コア（６１ａ）の外側に沿って互いに近接する外分割コア（６１ｂ）とが、交互に並んで形成されるアンダーカット成形コア（６０）と、
前記アンダーカット成形コア（６０）の分割コア（６１）を、それぞれ１つずつ先端部に支持した状態で、互いに前記アンダーカット部（Ｐ３）の軸心に対向する放射状に配されるスライド部材（５０）と、
前記固定型（１１）または前記可動型（１４）に対して一体に設けられ、前記各スライド部材（５０）を、それぞれの先端部にある前記分割コア（６１）同士が互いに全周方向に並ぶ成形位置と、前記分割コア（６１）同士が互いに前記アンダーカット部（Ｐ３）の軸心に向かって縮径する離型位置とに摺動可能に収納するホルダー（４０）とを有し、
前記ホルダー（４０）に、前記成形品（Ｐ）の型抜き時に前記各スライド部材（５０）を前記成形位置から前記離型位置に向けて、前記アンダーカット部（Ｐ３）の軸心と並行な型抜き方向、および前記アンダーカット部（Ｐ３）の軸心に向かうアンダーカット部（Ｐ３）からの逃げ方向に、それぞれ同時に移動する傾斜方向に沿って案内するガイド手段（４６）を設けたことを特徴とするアンダーカット処理機構（３０）。
【００１０】
［２］前記各分割コア（６１）の外側に、それぞれ前記成形位置にある時に全周方向に連続する成形面（６２）を設け、
前記各分割コア（６１）のうち内分割コア（６１ａ）に、前記成形面（６２）の両端より前記アンダーカット部（Ｐ３）の軸心に向かって末広がりに傾斜する被摺接面（６３）を設ける一方、
前記各分割コア（６１）のうち外分割コア（６１ｂ）に、前記成形面（６２）の両端より前記アンダーカット部（Ｐ３）の軸心に向かって末窄まりに傾斜し、前記被摺接面（６３）に摺接する摺接面（６４）を設け、
前記各分割コア（６１）が、それぞれ前記成形位置から前記離型位置に移動した際、前記外分割コア（６１ｂ）の摺接面（６４）が前記内分割コア（６１ａ）の被摺接面（６３）に摺接し、前記外分割コア（６１ｂ）が前記内分割コア（６１ａ）の外側上方に位置するように設定したことを特徴とする［１］に記載のアンダーカット処理機構（３０）。
【００１１】
［３］型抜き方向に駆動されて突き出し動作するエジェクタピン（２７）を有し、
前記ホルダー（４０）は、前記エジェクタピン（２７）の先端部が移動可能に案内される状態で前記可動型（１４）に一体に設けられ、
前記各スライド部材（５０）は、それぞれの基端部が前記エジェクタピン（２７）の先端部に対して前記逃げ方向に摺動可能に連結され、
前記ホルダー（４０）に前記ガイド手段（４６）として、前記スライド部材（５０）の途中が貫通して前記傾斜方向に移動可能に案内されるガイド孔（４６）が形成されたことを特徴とする［１］または［２］に記載のアンダーカット処理機構（３０）。
【００１２】
［４］前記アンダーカット成形コア（６０）の分割コア（６１）は、それぞれ対応する前記スライド部材（５０）の先端部に一体的に設けられたことを特徴とする［１］，［２］または［３］に記載のアンダーカット処理機構（３０）。
【００１３】
［５］前記アンダーカット成形コア（６０）の分割コア（６１）は、それぞれ対応する前記スライド部材（５０）の先端部に別体として着脱可能に組み付けられることを特徴とする［１］，［２］または［３］に記載のアンダーカット処理機構（３０）。
【００１４】
［６］前記スライド部材（５０）を前記成形品（Ｐ）の型抜きのストロークに応じた長さに設定することを特徴とする［１］，［２］，［３］，［４］または［５］に記載のアンダーカット処理機構（３０）。
【００１５】
［７］前記ホルダー（４０）自体を、該ホルダー（４０）を設ける前記可動型（１４）または前記固定型（１１）として構成したことを特徴とする［１］，［２］，［３］，［４］，［５］または［６］に記載のアンダーカット処理機構（３０）。
【００１６】
前記本発明は次のように作用する。  
前記［１］に記載のアンダーカット処理機構（３０）によれば、アンダーカット成形コア（６０）は、成形品（Ｐ）のアンダーカット部（Ｐ３）の内周面に対応して、互いに全周方向に並ぶ複数の分割コア（６１）から成る。ここで各分割コア（６１）は、成形品（Ｐ）の内側で円周方向に拡がるアンダーカット部（Ｐ３）の軸心に向かって縮径した際、互いに当接して内側に位置する内分割コア（６１ａ）と、該内分割コア（６１ａ）の外側に沿って互いに近接する外分割コア（６１ｂ）とが、交互に並んで形成される。
【００１７】
このように内分割コア（６１ａ）と外分割コア（６１ｂ）とは、交互に並んで環状のアンダーカット成形コア（６０）を形成し、内分割コア（６１ａ）と外分割コア（６１ｂ）とは隣り合う２つが１組となって、それぞれ必ず同数ずつ存在する。これらの分割コア（６１）は、それぞれがスライド部材（５０）の先端部に支持されている。各スライド部材（５０）は、固定型（１１）または可動型（１４）に対して一体に設けられたホルダー（４０）内にて、型抜き方向に延びるアンダーカット部（Ｐ３）の軸心を中心にして、互いに対向する放射状に配される。
【００１８】
各スライド部材（５０）は、それぞれの先端部にある分割コア（６１）同士が互いに全周方向に並ぶ成形位置と、分割コア（６１）同士が互いにアンダーカット部（Ｐ３）の軸心に向かって縮径する離型位置とに、ホルダー（４０）内で摺動可能となっている。これにより、成形品（Ｐ）の内側に円周方向に拡がるアンダーカット部（Ｐ３）がある場合でも、無理抜きすることなく容易に型抜きすることができる。
【００１９】
しかも、成形品（Ｐ）の型抜き時には、ホルダー（４０）に設けてあるガイド手段（４６）によって、各スライド部材（５０）が成形位置から離型位置に向けて、アンダーカット部（Ｐ３）の軸心と並行な型抜き方向、およびアンダーカット部（Ｐ３）の軸心に向かうアンダーカット部（Ｐ３）からの逃げ方向に、それぞれ同時に移動する傾斜方向に沿って案内される。従って、各スライド部材（５０）ないし分割コア（６１）は、成形位置から離型位置に確実に移動する。
【００２０】
ここで、アンダーカット部（Ｐ３）からの逃げ方向は、型抜き方向に対して直角方向に限られることはなく、要はアンダーカット部（Ｐ３）の軸心に向かうように、型抜き方向と交差する方向であれば良い。そのため、型抜き方向に対して直角に交わる方向に抜ける形状のアンダーカット部（Ｐ３）に限られることなく、成形品（Ｐ）の内側に円周方向に拡がる様々な形状のアンダーカット部（Ｐ３）を容易に抜くことが可能となる。
【００２１】
以上のようなアンダーカット処理機構（３０）によれば、全体的な構造の簡易化が可能となり、製造コストを大幅に低減することが可能となる。また、前記スライド部材（５０）は、エジェクタ台板（２０）や可動型（１４）に分散させることなく、ホルダー（４０）を介して固定型（１１）または可動型（１４）の何れか一方にのみに集中して配設することができる。これにより、コンパクトに構成することが可能となり、省スペース化の要請に応じることができ、金型への加工および組み込みが容易となる。
【００２２】
前記［２］に記載のアンダーカット処理機構（３０）によれば、各分割コア（６１）が、それぞれ成形位置から離型位置に移動する際、外分割コア（６１ｂ）の摺接面（６４）が内分割コア（６１ａ）の被摺接面（６３）に摺接しつつ、外分割コア（６１ｂ）が内分割コア（６１ａ）の外側上方に位置する。このような設計により、アンダーカット成形コア（６０）における縮径率を大きくすることができ、底の深いアンダーカット部（Ｐ３）を有する成形品（Ｐ）にも十分に対応することができる。
【００２３】
前記［３］に記載のアンダーカット処理機構（３０）は、成形品（Ｐ）の型抜き時に、型抜き方向に駆動されるエジェクタピン（２７）の突き出し動作に応じて作動する。成形が終わり可動型（１４）から固定型（１１）が離れると、成形品（Ｐ）の外側が現われる。次いでエジェクタピン（２７）が型抜きのために、成形品（Ｐ）を可動型（１４）から離間させるように突き出し動作し、該エジェクタピン（２７）の先端部はホルダー（４０）内を移動する。
【００２４】
このとき、エジェクタピン（２７）の先端部に連結されているスライド部材（５０）が、エジェクタピン（２７）の突き出し動作に伴って、ホルダー（４０）に前記ガイド手段（４６）として形成されているガイド孔（４６）によって傾斜方向に案内される。これにより、各分割コア（６１）も成形位置から離型位置に確実に移動するので、成形品（Ｐ）のアンダーカット部（Ｐ３）が取外し可能な状態となり、成形品（Ｐ）を型抜きすることができる。
【００２５】
前記［４］に記載のアンダーカット処理機構（３０）によれば、アンダーカット成形コア（６０）をなす分割コア（６１）を、各スライド部材（５０）の先端部に一体的に設ける。これにより、いっそう構造が簡単となり、コストダウンが可能となる。
【００２６】
前記［５］に記載のアンダーカット処理機構（３０）によれば、アンダーカット成形コア（６０）をなす分割コア（６１）を、各スライド部材（５０）の先端部に別体として着脱可能に組み付ける。これにより、様々なアンダーカット成形コア（６０）に後から付け替えることが可能となり汎用性が広がる。
【００２７】
前記［６］に記載のアンダーカット処理機構（３０）によれば、スライド部材（５０）を成形品（Ｐ）の型抜きのストロークに応じた長さに設定する。これにより、成形品（Ｐ）の型抜きにおける大きなストロークから小さなストロークまでに適宜対応することができる。
【００２８】
前記［７］に記載のアンダーカット処理機構（３０）によれば、ホルダー（４０）自体を、該ホルダー（４０）を設ける可動型（１４）または固定型（１１）として構成する。すなわち、金型に直接ホルダー（４０）の内部空間の代わりとなる中空部を形成して、この中空部内に各スライド部材（５０）を、成形位置と離型位置とに摺動可能に収納すれば良い。これにより、ホルダー（４０）部品が不要となって部品点数が削減され、成形用金型装置（１）全体の構成をよりいっそう簡易化することができ、コストを低減することが可能となる。
【発明の効果】
【００２９】
本発明に係るアンダーカット処理機構によれば、成形品の内側に円周方向に拡がる様々な形状のアンダーカット部を容易に型抜きすることができる。しかも、コンパクトに構成することが可能となり省スペース化の要請に応じることができ、金型への加工および組み込みが容易で、また構成が簡単であり組み立てに手間と時間がかからず、コストダウンを実現することができる。
【発明を実施するための最良の形態】
【００３０】
以下、図面に基づき本発明を代表する実施の形態を説明する。  
図１〜図４は、本実施の形態に係る成形用金型装置１と、これを構成する金型１０およびアンダーカット処理機構３０の動作を説明するための断面図である。成形用金型装置１は、アンダーカット部Ｐ３のある成形品Ｐを金型１０によって成形する装置である。金型１０は、成形品Ｐの外観部分を成形する固定型１１と、成形品Ｐの内側を成形する可動型１４とから成る。
【００３１】
本実施の形態に係る成形品Ｐは、図８に示すように、底有りのキャップ状部材であり、開口内側に外周Ｐ１とは別に筒状部Ｐ２が形成された２重構造となっている。この筒状部Ｐ２の内側の最奥部に、成形品Ｐの軸心を中心とする円周方向に拡がるようにアンダーカット部Ｐ３が形成される。また、筒状部Ｐ２の最奥部には、軸心に沿って出っ張る凸部Ｐ４が形成される。なお、成形品Ｐの材料は、プラスチック等の合成樹脂のみならず鉄等の金属も該当する。
【００３２】
図１に示すように、固定型１１は、その主要部である固定型板１２と、これを固定する固定取付板１３とから成る。固定型板１２には、材料を金型１０内に射出する入口であるスプルゥ部１２ａが設けられている。一方、可動型１４は、その主要部である上可動型板１６および下可動型板１５と、上可動型板１６の上方に分離可能に配されるストリッパープレート１７と、下可動型板１５の下方にスペーサブロック１８を介して固定される可動取付板１９とから成る。
【００３３】
上可動型板１６と可動取付板１９との間には、エジェクタ台板２０と、２段突出し用ユニット２１と、突出し板２５とが配設されている。エジェクタ台板２０上には、合計８本のエジェクタピン２７が放射方向に並ぶように立設されている。詳しくは図６（ａ）に示すように、エジェクタピン２７は、交互に１つずつ内側と外側に並ぶように立設されている。各エジェクタピン２７は角棒部材から形成されており、それぞれ基端部がノックピンを介してエジェクタ台板２０に固定される。各エジェクタピン２７の先端部は、後述するホルダー４０内に摺動可能に挿通している。
【００３４】
エジェクタピン２７は、エジェクタ台板２０の上下移動に伴って型抜き方向に駆動される。２段突出し用ユニット２１は、エジェクタ台板２０が所定の高さ位置まで上昇した際に、ストリッパープレート１７をさらに上方に突き放すように駆動するためのユニットである。詳しくは図１に示すように、２段突出し用ユニット２１は、枢軸２２を支点として両端が揺動するものであり、通常は上方を向く一端側の力点ローラ２３が、エジェクタ台板２０の上昇に伴いスペーサブロック１８の段部１８ａに係合すると、枢軸２２を支点として他端側の作用点ローラ２４が上方に揺動し、突出し板２５をさらに上方に移動させるように設定されている。
【００３５】
突出し板２５上には、ガイドピン２６が立設されており、該ガイドピン２６は、上可動型板１６および下可動型板１５に穿設されている縦孔１４ａを貫通して、先端部がストリッパープレート１７に連結されている。すなわち、前記２段突出し用ユニット２１による突出し板２５の上昇に伴って、ストリッパープレート１７が下可動型板１５から離脱して上昇するように構成されている。なお、突出し板２５には、各エジェクタピン２７が自由に貫通するための縦孔２５ａが穿設されている。
【００３６】
本願発明の根幹を成すアンダーカット処理機構３０は、型抜き方向となる上下方向に駆動されて突き出し動作する前記各エジェクタピン２７と、各エジェクタピン２７の先端部が摺動可能に案内される状態で可動型１４内に配設されるホルダー４０と、各エジェクタピン２７と同数用意され、ホルダー４０内で、互いにホルダー４０の軸心に対向する放射状に配されるスライド部材５０と、各スライド部材５０の先端部に設けられたアンダーカット成形コア６０とを有する。
【００３７】
図１に示すように、ホルダー４０は、上下に２分割されており、前記可動型１４のうち下可動型板１５に一体に内設される下ホルダー４１と、上可動型板１６に一体に固設され、上可動型板１６より上方に突出した部位が、前記ストリッパープレート１７を貫通して固定型板１２側に凹入する上ホルダー４２とを組み合わせて成る。下ホルダー４１は、下可動型板１５を貫通した状態でボルト止めされる略円柱形の部材から成り、その内部に、合計８本のエジェクタピン２７をそれぞれ型抜き方向（上下方向）に摺動可能に案内する８つの縦孔４３が、互いにホルダー４０の軸心に対向する放射状に並ぶように穿設されている。
【００３８】
図７および図１に示すように、上ホルダー４２は、前記上可動型板１６を貫通している部位は大径で、上可動型板１６上に突出した途中から小径となる２段の略円柱形の部材から成り、その内部の中心には軸心部４４が設けられている。上ホルダー４２の大径部位における軸心部４４の周囲には、前記各エジェクタピン２７の先端部側が摺動可能に挿通する縦孔４５が、互いに内部空間が連なる状態に穿設されている。また、軸心部４４の上端面には、成形品Ｐの凸部Ｐ４を形成する凹部４４ａが形成されている。
【００３９】
上ホルダー４２の小径部位における軸心部４４の周囲には、前記各縦孔４５の上端より上方に向かって互いに窄まるように軸心寄りに傾斜して延び、次述する各スライド部材５０がそれぞれ摺動可能に貫通する８つのガイド孔４６が穿設されている。なお、上ホルダー４２の小径部位とその内側の軸心部４４は、成形品Ｐの筒状部Ｐ２を含む内側を造形するための入れ子となっており、特に軸心部４４の上部外周は、各スライド部材５０が沿って移動するためのガイド面を成している。
【００４０】
図１および図５に示すように、各スライド部材５０は、それぞれの先端部同士が上ホルダー４２の内側で互いに全周方向に並ぶ成形位置（図１参照。）と、前記先端部同士が上ホルダー４２の上部外側で互いに縮径する離型位置（図４参照。）とに摺動可能にホルダー４０内に収納されている。スライド部材５０は、各エジェクタピン２７ごとに対応して合計８本が配置されている。
【００４１】
図１、図６および図９に示すように、各スライド部材５０は、図示した棒状部材から形成されており、それぞれ前記エジェクタピン２７の先端部に対して、型抜き方向（図１中で上下方向）と交差するアンダーカット部Ｐ３からの逃げ方向（図１中で左右方向に対して傾斜した方向）に摺動可能に基端部が連結されている。エジェクタピン２７の先端部には、保持駒部２８が設けられている。一方、スライド部材５０の基端部には、保持駒部２８に対して逃げ方向に摺動可能に連結される逃げ動作駒部５１が設けられている。
【００４２】
図６に示すように、エジェクタピン２７の保持駒部２８は、エジェクタピン２７の軸方向（図６中で上下方向）に斜めに交差する逃げ方向に延びる蟻溝として、エジェクタピン２７の上端面に凹設されている。一方、スライド部材５０の逃げ動作駒部５１は、保持駒部２８の蟻溝に対して逃げ方向に移動可能に嵌合する凸条として、スライド部材５０の下端面に凸設されている。このような保持駒部２８と逃げ動作駒部５１とは、互いに押し引き可能に連結される。
【００４３】
詳しくは図９および図１に示すように、各スライド部材５０は、細い幅の棒状部材から成り、前記エジェクタピン２７のうち内側に交互に並ぶように配されたエジェクタピン２７に連結されるスライド部材５０ａと、太い幅の棒状部材から成り、前記エジェクタピン２７のうち外側に交互に並ぶように配されたエジェクタピン２７に連結されるスライド部材５０ｂの２種類がある。細い幅のスライド部材５０ａは、後述するアンダーカット成形コア６０のうち内分割コア６１ａに対応し、太い幅のスライド部材５０ｂは、同じくアンダーカット成形コア６０のうち外分割コア６１ｂに対応している。
【００４４】
各スライド部材５０は、前述したようにそれぞれガイド孔４６に摺動可能に貫通しており、このガイド孔４６（ガイド手段）によって各スライド部材５０は、成形品Ｐの型抜き時に図１に示す成形位置から図４に示す離型位置に向けて、アンダーカット部Ｐ３の軸心と並行な型抜き方向、およびアンダーカット部Ｐ３の軸心に傾斜して向かうアンダーカット部からの逃げ方向に、それぞれ同時に移動する傾斜方向に沿って案内されるように設定されている。なお、正確に言えば各ガイド孔４６も、細い幅のスライド部材５０ａと太い幅のスライド部材５０ｂに対応して２種類の断面形状が存在する。
【００４５】
図１、図５、図６および図９に示すように、各スライド部材５０ａの先端部には、アンダーカット成形コア６０が支持されている。アンダーカット成形コア６０は、成形品Ｐのアンダーカット部Ｐ３の内周面に対応して、互いに全周方向に並ぶ複数の分割コア６１から成る。詳しくは図５および図６に示すように、各アンダーカット成形コア６０は、それぞれ円周に並ぶ中心に向かって縮径した際、互いに当接して内側に位置する内分割コア６１ａと、該内分割コア６１ａの外側に沿って互いに近接する外分割コア６１ｂとの２種類がある。
【００４６】
内分割コア６１ａと外分割コア６１ｂとは、それぞれ１個ずつペアとなって１組となり、円周方向に並ぶように配される。すなわち、内分割コア６１ａと外分割コア６１ｂとは必ず交互に並んで同数ずつ存在する。何れの分割コア６１も、前記各スライド部材５０の先端部に支持される状態に設けられており、分割コア６１同士が互いに全周方向に並ぶ成形位置と、分割コア６１同士が互いにアンダーカット部Ｐ３の軸心に向かって縮径する離型位置とに移動可能に配されている。ここで、各分割コア６１が成形位置から離型位置へ移動する際、各分割コア６１は、各スライド部材５０の移動と同じく前述した傾斜方向に沿って案内される。
【００４７】
本実施の形態に係るアンダーカット成形コア６０の分割コア６１は、スライド部材５０の先端部に一体的に設けられているが、他の構成として、スライド部材５０の先端部に別体として着脱可能に組み付けるようにしても良い。なお、正確に言えば、各分割コア６１のうち内分割コア６１ａが前記スライド部材５０ａの先端部に設けられ、外分割コア６１ｂが前記スライド部材５０ｂの先端部に設けられている。
【００４８】
図９に示すように、各分割コア６１の外側には、それぞれ前記成形位置にある時に全周方向に連続する成形面６２が設けられている。また、各分割コア６１のうち内分割コア６１ａには、前記成形面６２の両端より前記アンダーカット部Ｐ３の軸心に向かって末拡がりに傾斜する被摺接面６３が設けられている。一方、外分割コア６１ｂには、前記成形面６２の両端より前記アンダーカット部Ｐ３の軸心に向かって末窄まりに傾斜し、前記被摺接面６３に摺接する摺接面６４が設けられている。
【００４９】
次に、本実施の形態の作用を説明する。  
図１は、成形用金型装置１により成形品Ｐの成形が終了した状態を示している。図２に示すように、成形が終了して固定型１１が可動型１４から離れると、成形品Ｐの外側（外観部分）がストリッパープレート１７上に露出する。次いで、図３に示すように、エジェクタ台板２０が上方に駆動されると、該エジェクタ台板２０上に立設されている各エジェクタピン２７が、突出し板２５にある縦孔２５ａを貫通した状態で型抜き方向（上方）に真っ直ぐに突き出し動作する。また、エジェクタ台板２０にある２段突出し用ユニット２１上に載置されている突出し板２５も、そのまま型抜き方向（上方）に移動する。
【００５０】
ここで、各エジェクタピン２７の型抜き方向（上方）への移動に伴って、ホルダー４０内では、各エジェクタピン２７の先端部に連結されている各スライド部材５０が、エジェクタピン２７と一緒に型抜き方向に移動すると共に、アンダーカット部Ｐ３の軸心に向かうアンダーカット部Ｐ３からの逃げ方向にも同時に移動する。各スライド部材５０は、それぞれ上ホルダー４２にあるガイド孔４６に摺動可能に貫通しており、このガイド孔４６によって、図１に示す成形位置から図４に示す離型位置に向けて、前記型抜き方向および前記逃げ方向に、それぞれ同時に移動する傾斜方向に沿って確実に案内される。
【００５１】
また、突出し板２５の型抜き方向（上方）への移動に伴って、突出し板２５上に立設されているガイドピン２６が、可動型１４にある縦孔１４ａを貫通した状態で型抜き方向（上方）に真っ直ぐに突き出し動作する。これにより、ガイドピン２６によって支持されていたストリッパープレート１７が型抜き方向（上方）へ移動し、成形品Ｐが可動型１４の入れ子を成していた上ホルダー４２の上部から型抜きされる。この時、すなわち図３に示した時点では、スライド部材５０およびアンダーカット成形コア６０は、未だ離型位置には到達しておらず、成形品Ｐの凸部Ｐ４からアンダーカット成形コア６０は型抜きされていない。
【００５２】
続いて、図４に示すように、エジェクタ台板２０がさらに上方に駆動されると、エジェクタ台板２０を介してスライド部材５０は離型位置まで移動する。これに伴って、各スライド部材５０の先端部にあるアンダーカット成形コア６０は、その分割コア６１同士が互いに全周方向に並ぶ成形位置（図１参照。）からアンダーカット部Ｐ３の軸心に向かって縮径する離型位置（図４参照。）まで移動することになる。
【００５３】
詳しく言えば図５および図６において、各分割コア６１が成形位置から離型位置に移動した際、外分割コア６１ｂの摺接面６４（図９参照。）が内分割コア６１ａの被摺接面６３（図９参照。）に摺接しつつ、外分割コア６１ｂが内分割コア６１ａの外側上方に位置することになる。このような構成によれば、アンダーカット成形コア６０の縮径率を高めることができ、成形品Ｐの内側に円周方向に深く拡がるアンダーカット部Ｐ３がある場合でも、無理抜きすることなく容易に型抜きすることができる。
【００５４】
ここで、各分割コア６１におけるアンダーカット部Ｐ３からの逃げ方向は、型抜き方向に対して直角方向ではなく、要はアンダーカット部Ｐ３の軸心に向かうように、型抜き方向と斜めに交差する方向となっている。そのため、型抜き方向に対して直角に交わる方向には抜けない形状のアンダーカット部Ｐ３も容易に型抜きすることができ、成形品Ｐの内側に円周方向に拡がる様々な形状のアンダーカット部を容易に抜くことが可能となる。
【００５５】
さらに、本実施の形態における成形品Ｐでは、その内面中央に下方に出っ張る凸部Ｐ４が形成されるが、アンダーカット成形コア６０によれば、アンダーカット部Ｐ３の軸方向と直角に交差する方向への縮径ではなく、軸方向と斜めに交差する方向に移動しつつ縮径することにより、凸部Ｐ４に抵触することなく、容易に型抜きすることができる。なお、従来一般のアンダーカット処理装置では、コアの移動が、型抜き方向と直交する方向に限られていたので、前記凸部Ｐ４のような構造があると、干渉して型抜きすることができなかった。
【００５６】
また、図４において、エジェクタ台板２０がさらに上方に駆動されると、エジェクタ台板２０上にある２段突出し用ユニット２１の力点ローラ２３がスペーサブロック１８の段部１８ａに係合し、枢軸２２を支点として他端側の作用点ローラ２４が上方に揺動する。これに押されて突出し板２５がさらに上方に大きく移動し、ガイドピン２６が上方に突き出し動作する。これにより、ガイドピン２６によって支持されていたストリッパープレート１７が型抜き方向（上方）へ移動し、成形品Ｐがアンダーカット成形コア６０から完全に離脱することになる。
【００５７】
以上のように、各々がアンダーカット成形コア６０を支持するスライド部材５０は、型抜き方向に駆動されるエジェクタピン２７の突き出し動作に伴い、ホルダー４０内にあるガイド孔４６に案内されて型抜き可能な傾斜方向に移動するから、全体的な構造の簡易化が可能となり、製造コストを大幅に低減することが可能となる。なお、成形品Ｐが抜き去られると、エジェクタピン２７が成形時の位置に戻るに従い、エジェクタピン２７に引かれてスライド部材５０やアンダーカット成形コア６０も初期位置に戻る。また、固定型１１も成形位置に戻って、次の成形品Ｐが成形されることになる。
【００５８】
ところで、スライド部材５０を、成形品Ｐの型抜きのストロークに応じた長さに設定することにより、成形品Ｐの型抜きにおける大きなストロークから小さなストロークまでに適宜対応することができる。また、スライド部材５０とホルダー４０とが摺接し合う部位、特にガイド孔４６の内面等を窒化処理することにより、摩擦係数を低減することが可能となり、さらに円滑に動作させることができる。
【００５９】
なお、本発明の実施の形態を図面によって説明してきたが、具体的な構成は前述した実施の形態に限られるものではなく、本発明の要旨を逸脱しない範囲における変更や追加があっても本発明に含まれる。例えば、成形品Ｐやアンダーカット成形コア６０の形状は、具体的に図示したものに限定されるわけではない。また、前記実施の形態では、ホルダー４０を可動型１４に対して一体に設けたが、可動型１４ではなく固定型１１に一体に設けるように構成しても良い。
【００６０】
また、前記実施の形態では、ホルダー４０の外周形状を円柱形としたが、例えば、四角柱に設計してもかまわない。また、各スライド部材５０を合計８個設けたが、偶数であれば例えば４個あるいは６個等と、ホルダー内の配置スペースに応じて適当な数だけ設けることができる。また、各アンダーカット成形コア６０の成形面６２は、全て同じ形状に構成しているが、各スライド部材５０ごとに少なくとも１つが他のものと異なるように構成しても良い。
【００６１】
また、前記実施の形態では、アンダーカット成形コア６０の分割コア６１を、スライド部材５０の先端部に一体的に設けるように構成したことにより、いっそう構造が簡単となり、コストダウンが可能となるが、分割コア６１をスライド部材５０の先端部に別体として着脱可能に組み付けるように構成すると、様々なアンダーカット成形コア６０に後から付け替えることが可能となり汎用性が広がる。
【００６２】
また、前記実施の形態では、各スライド部材５０を、前記型抜き方向および前記逃げ方向にそれぞれ同時に移動する傾斜方向に沿って案内するガイド手段として、ホルダー４０内にガイド孔４６を穿設したが、他に例えば、ホルダー４０内に、スライド部材５０に設けてある斜条に嵌合する斜溝を設けることで、スライド部材５０を傾斜方向に案内するガイド手段としたり、あるいは、ホルダー４０内に、スライド部材５０の外周全体を摺動可能に案内する溝を設けてガイド手段としても良い。
【００６３】
さらに、前記実施の形態では、ホルダー４０を、可動型１４（または固定型１１）とは別体に構成して後から一体に組み付けているが、ホルダー４０自体を、可動型１４（または固定型１１）として構成しても良い。すなわち、金型１０に直接ホルダー４０の内部空間の代わりとなる中空部を形成して、この中空部内に各スライド部材５０等を、成形位置と離型位置とに摺動可能に収納すれば良い。これにより、ホルダー４０に関する部品点数が削減され、成形用金型装置１全体の構成をよりいっそう簡易化することができ、コストを低減することが可能となる。
【図面の簡単な説明】
【００６４】
【図１】本発明の実施の形態に係る成形用金型装置およびアンダーカット処理機構の成形時における動作を説明する断面図である。
【図２】本発明の実施の形態に係る成形用金型装置およびアンダーカット処理機構の固定型分離時における動作を説明する断面図である。
【図３】本発明の実施の形態に係る成形用金型装置およびアンダーカット処理機構のエジェクタピン突出初期時における動作を説明する断面図である。
【図４】本発明の実施の形態に係る成形用金型装置およびアンダーカット処理機構のエジェクタピン突出終了時における動作を説明する断面図である。
【図５】本発明の実施の形態に係るアンダーカット処理機構のスライド部材および分割コアが成形位置にある状態を示す斜視図である。
【図６】本発明の実施の形態に係るアンダーカット処理機構のスライド部材および分割コアが離型位置にある状態を示す斜視図である。
【図７】本発明の実施の形態に係るアンダーカット処理機構の上ホルダーを示す（ａ）斜視図と（ｂ）縦断面図である。
【図８】本発明の実施の形態に係るアンダーカット処理機構で型抜きする成形品の（ａ）縦断面図と、上ホルダー、エジェクタピンおよびスライド部材を組み合わせた状態を示す（ｂ）斜視図である。
【図９】本発明の実施の形態に係るアンダーカット処理機構の２種類のエジェクタピン、スライド部材および分割コアを示す斜視図である。
【図１０】本発明の実施の形態に係るアンダーカット処理機構の２種類のエジェクタピン、スライド部材および分割コアが裏型位置にある状態を示す（ａ）斜視図と、成形位置にある状態を示す（ｂ）斜視図である。
【符号の説明】
【００６５】
Ｐ…成形品
Ｐ１…外周
Ｐ２…筒状部
Ｐ３…アンダーカット部
Ｐ４…凸部
１…成形用金型装置
１０…金型
１１…固定型
１２…固定型板
１２ａ…スプルゥ部
１３…固定取付板
１４…可動型
１４ａ…縦孔
１５…下可動型板
１６…上可動型板
１７…ストリッパープレート
１８…スペーサブロック
１９…可動取付板
２０…エジェクタ台板
２１…２段突出し用ユニット
２２…枢軸
２３…力点ローラ
２４…作用点ローラ
２５…突出し板
２５ａ…縦孔
２６…ガイドピン
２７…エジェクタピン
２８…保持駒部
３０…アンダーカット処理機構
４０…ホルダー
４１…下ホルダー
４２…上ホルダー
４３…縦孔
４４…軸心部
４４ａ…凹部
４５…縦孔
４６…ガイド孔
５０…スライド部材
５０ａ…スライド部材
５０ｂ…スライド部材
５１…逃げ動作駒部
６０…アンダーカット成形コア
６１…分割コア
６１ａ…内分割コア
６１ｂ…外分割コア
６２…成形面
６３…被摺接面
６４…摺接面
【要約】
【課題】成形品の内側に円周方向に拡がる様々な形状のアンダーカット部を容易に型抜きすることができるアンダーカット処理機構を提供する。
【解決手段】アンダーカット成形コア６０を形成する各分割コア６１は、それぞれ１つずつスライド部材５０の先端部に支持され、各スライド部材５０は、互いにアンダーカット部Ｐ３の軸心に対向する放射状に配される。各スライド部材５０は、それぞれ分割コア６１同士が互いに全周方向に並ぶ成形位置と、分割コア６１同士が互いに縮径する離型位置とに摺動可能にホルダー４０に収納される。ホルダー４０に、各スライド部材５０を成形位置から離型位置に向けて、アンダーカット部Ｐ３の軸心と並行な型抜き方向、およびアンダーカット部Ｐ３の軸心に向かうアンダーカット部Ｐ３からの逃げ方向に、それぞれ同時に移動する傾斜方向に沿って案内するガイド手段４６を設けた。
【選択図】図１【図１】
0004096066.tif 000002
【図２】
0004096066.tif 000003
【図３】
0004096066.tif 000004
【図４】
0004096066.tif 000005
【図５】
0004096066.tif 000006
【図６】
0004096066.tif 000007
【図７】
0004096066.tif 000008
【図８】
0004096066.tif 000009
【図９】
0004096066.tif 000010
【図１０】
0004096066.tif 000011